(57)【特許請求の範囲】
【請求項１】
ガスバリア性を備えた外層フィルムと、
ガスバリア性を備えた内層フィルムと、
該外層フィルムと該内層フィルムと間に設けられ該外層フィルムと該内層フィルムとを接着する接着剤層とからなる３層構造のラミネートフィルムにおいて、
該外層フィルムは該接着剤層を介さずに直接該内層フィルムに対向する外層フィルム非接着部を有し、該外層フィルム非接着部の一部には微小な貫通口や凹部よりなる外層粗面加工部が形成され、
該内層フィルムの一部であって該外層フィルム非接着部に対向する部分は内層フィルム非接着部をなし、該内層フィルム非接着部の一部には微小な貫通口や凹部よりなる内層粗面加工部が形成され、
該外層粗面加工部は該内層フィルム非接着部の一部であって該内層粗面加工部以外の部分に対向し、且つ、該内層粗面加工部は該外層フィルム非接着部の一部であって該外層粗面加工部以外の部分に対向することを特徴とするラミネートフィルム。
【請求項２】
ガスバリア性を備えた外層フィルムと、ガスバリア性を備えた内層フィルムと、該外層フィルムと該内層フィルムと間に設けられ該外層フィルムと該内層フィルムとを接着する接着剤層とにより構成される３層構造のラミネートフィルムからなる袋体において、
該外層フィルムは該接着剤層を介さずに直接該内層フィルムに対向する外層フィルム非接着部を有し、該外層フィルム非接着部の一部には微小な貫通口や凹部よりなる外層粗面加工部が形成され、
該内層フィルムの一部であって該外層フィルム非接着部に対向する部分は内層フィルム非接着部をなし、該内層フィルム非接着部の一部には微小な貫通口や凹部よりなる内層粗面加工部が形成され、
該外層粗面加工部は該内層フィルム非接着部の一部であって該内層粗面加工部以外の部分に対向し、且つ、該内層粗面加工部は該外層フィルム非接着部の一部であって該外層粗面加工部以外の部分に対向して両非接触部によりガス抜き部が提供されることを特徴とする袋体。
【請求項３】
ガスバリア性を備えた外層フィルムと、ガスバリア性を備えた内層フィルムと、該外層フィルムと該内層フィルムと間に設けられ該外層フィルムと該内層フィルムとを接着する接着剤層とにより構成される３層構造のラミネートフィルムからなり、開口部を有する袋体本体と、
該開口部の周囲に設けられ該開口部を開閉自在とし、該開口部が閉じた状態では該開口部の位置において該袋体の内と外とを通気不能とするジッパーとを有する電子レンジ用袋体において、
該外層フィルムは該接着剤層を介さずに直接該内層フィルムに対向する外層フィルム非接着部を有し、該外層フィルム非接着部の一部には微小な貫通口や凹部よりなる外層粗面加工部が形成され、
該内層フィルムの一部であって該外層フィルム非接着部に対向する部分は内層フィルム非接着部をなし、該内層フィルム非接着部の一部には微小な貫通口や凹部よりなる内層粗面加工部が形成され、
該外層粗面加工部は該内層フィルム非接着部の一部であって該内層粗面加工部以外の部分に対向し、且つ、該内層粗面加工部は該外層フィルム非接着部の一部であって該外層粗面加工部以外の部分に対向して両非接触部によりガス抜き部が提供されることを特徴とする電子レンジ用袋体。
【請求項４】
ガスバリア性を備えた外層フィルムと、ガスバリア性を備えた内層フィルムと、該外層フィルムと該内層フィルムと間に設けられ該外層フィルムと該内層フィルムとを接着する接着剤層とからなる３層構造のラミネートフィルムにより構成され、上端に開口部が形成された容器の該開口部を封止する蓋体において、
該外層フィルムは該接着剤層を介さずに直接該内層フィルムに対向する外層フィルム非接着部を有し、該外層フィルム非接着部の一部には微小な貫通口や凹部よりなる外層粗面加工部が形成され、
該内層フィルムの一部であって該外層フィルム非接着部に対向する部分は内層フィルム非接着部をなし、該内層フィルム非接着部の一部には微小な貫通口や凹部よりなる内層粗面加工部が形成され、
該外層粗面加工部は該内層フィルム非接着部の一部であって該内層粗面加工部以外の部分に対向し、且つ、該内層粗面加工部は該外層フィルム非接着部の一部であって該外層粗面加工部以外の部分に対向して両非接触部によりガス抜き部が提供されることを特徴とする蓋体。
【発明の詳細な説明】
【０００１】
【発明の属する技術分野】
本発明はラミネートフィルム、及び、当該ラミネートフィルムを用いた袋体、蓋体に関し、特に、ラミネートフィルムの一方の側の気圧が他方の側の気圧に対してかなり高いときには、一方の側から他方の側へ通気可能であり、一方の側の気圧と他方の側の気圧との差があまりないときには、いずれの側へも通気不能であるラミネートフィルム、袋体、及び蓋体に関する。
【０００２】
【従来の技術】
コーヒー豆等の食品は、店頭において樹脂製のフィルム等からなる袋体に所定量封入され袋体単位で販売される場合がある。コーヒー豆は炭酸ガスを発生しやすく、ガスが袋体内に溜まり過ぎると袋体が破裂する。このため、コーヒー豆を封入するための袋体には、内部に溜まったガスを袋体の外部へと排出するための、いわゆる「へそ」が設けられている。
【０００３】
へそは、より具体的には弁からなり、へそは袋体を構成する樹脂製のフィルムからなる袋体本体とは別個に製造され袋体本体に取付けられる。へそにおいては、袋体の内側の気圧が外側の気圧に対してかなり高いときには、内側から外側へと通気可能である。袋体の内側の気圧が外側の気圧に対してそれほど高くないときには通気不能である。また、外側から内側へは通気不能であり、内容物であるコーヒー豆の衛生管理がなされている。
【０００４】
また、電子レンジで冷凍食品等を暖めたり食器等を消毒したりする際には、樹脂製のフィルムからなる電子レンジ用袋体を用いることがある。電子レンジ用袋体には、内部に冷凍食品や食器を入れるための開口部が形成されており、開口部には、開口部を開閉自在とするジッパーが設けられている。電子レンジ用の袋体に内容物が入れられて電子レンジにかけられる際には、ジッパーによって開口部が閉じられる。よって、加熱により内容物が袋体から漏出するのを防止できる。
【０００５】
更に、コンビニエンスストア等で販売されているおでん等の食品は、客の注文に応じて店頭で使捨ての容器に詰められ、容器上部の開口部が蓋体によって塞がれて販売される。客はこれを持って帰る。冬場では外気温は特に低く、帰宅するまでに食品が冷めるので、購入した客は帰宅後、蓋体を容器から外し、電子レンジにかけることが可能な容器に食品を移替え、ラップで容器の開口部を塞ぐように覆い、電子レンジで暖める。
【０００６】
【発明が解決しようとする課題】
しかし、従来の袋体においては、上述のように弁は袋体を構成する樹脂製フィルムとは別個に製造され、樹脂製シートに取付けられていたため、弁自体を製造するのにコストがかかり、弁を樹脂製フィルムへ取付ける工程を要する。
【０００７】
また、電子レンジ用の袋体の場合にはいわゆるへそが特に設けられておらず、袋体の内部と外部とが通気不能となっているため、袋体は電子レンジ中で加熱され内部の空気が膨張し、破袋することがあった。
【０００８】
また、食品を購入した客は、帰宅後すぐに電子レンジで温めて食べたいのであるが、コンビニエンスストアで食品を詰めた容器をそのままレンジにかけると、容器や蓋体が破裂してしまうため、前述のように、食品を他の容器に移替えラップをしてからレンジにかけるといった面倒な手間を経なければならなかった。
【０００９】
そこで本発明は、一方の側の気圧が他方の側の気圧よりも高くなったときのみ一方の側から他方の側への通気を許容し、且つ、低コストで製造の容易なラミネートフィルム、袋体、及び蓋体を提供することを目的とする。
【００１０】
【課題を解決するための手段】
上記目的を達成するために、本発明は、ガスバリア性を備えた外層フィルムと、ガスバリア性を備えた内層フィルムと、該外層フィルムと該内層フィルムと間に設けられ該外層フィルムと該内層フィルムとを接着する接着剤層とからなる３層構造のラミネートフィルムにおいて、該外層フィルムは該接着剤層を介さずに直接該内層フィルムに対向する外層フィルム非接着部を有し、該外層フィルム非接着部の一部には微小な貫通口や凹部よりなる外層粗面加工部が形成され、該内層フィルムの一部であって該外層フィルム非接着部に対向する部分は内層フィルム非接着部をなし、該内層フィルム非接着部の一部には微小な貫通口や凹部よりなる内層粗面加工部が形成され、該外層粗面加工部は該内層フィルム非接着部の一部であって該内層粗面加工部以外の部分に対向し、且つ、該内層粗面加工部は該外層フィルム非接着部の一部であって該外層粗面加工部以外の部分に対向するラミネートフィルムを提供している。
【００１１】
また、本発明は、ガスバリア性を備えた外層フィルムと、ガスバリア性を備えた内層フィルムと、該外層フィルムと該内層フィルムと間に設けられ該外層フィルムと該内層フィルムとを接着する接着剤層とにより構成される３層構造のラミネートフィルムからなる袋体において、該外層フィルムは該接着剤層を介さずに直接該内層フィルムに対向する外層フィルム非接着部を有し、該外層フィルム非接着部の一部には微小な貫通口や凹部よりなる外層粗面加工部が形成され、該内層フィルムの一部であって該外層フィルム非接着部に対向する部分は内層フィルム非接着部をなし、該内層フィルム非接着部の一部には微小な貫通口や凹部よりなる内層粗面加工部が形成され、該外層粗面加工部は該内層フィルム非接着部の一部であって該内層粗面加工部以外の部分に対向し、且つ、該内層粗面加工部は該外層フィルム非接着部の一部であって該外層粗面加工部以外の部分に対向して両非接触部によりガス抜き部が提供される袋体を提供している。
【００１２】
また、本発明は、ガスバリア性を備えた外層フィルムと、ガスバリア性を備えた内層フィルムと、該外層フィルムと該内層フィルムと間に設けられ該外層フィルムと該内層フィルムとを接着する接着剤層とにより構成される３層構造のラミネートフィルムからなり、開口部を有する袋体本体と、該開口部の周囲に設けられ該開口部を開閉自在とし、該開口部が閉じた状態では該開口部の位置において該袋体の内と外とを通気不能とするジッパーとを有する電子レンジ用袋体において、該外層フィルムは該接着剤層を介さずに直接該内層フィルムに対向する外層フィルム非接着部を有し、該外層フィルム非接着部の一部には微小な貫通口や凹部よりなる外層粗面加工部が形成され、該内層フィルムの一部であって該外層フィルム非接着部に対向する部分は内層フィルム非接着部をなし、該内層フィルム非接着部の一部には微小な貫通口や凹部よりなる内層粗面加工部が形成され、該外層粗面加工部は該内層フィルム非接着部の一部であって該内層粗面加工部以外の部分に対向し、且つ、該内層粗面加工部は該外層フィルム非接着部の一部であって該外層粗面加工部以外の部分に対向して両非接触部によりガス抜き部が提供される電子レンジ用袋体を提供している。
【００１３】
また、本発明は、ガスバリア性を備えた外層フィルムと、ガスバリア性を備えた内層フィルムと、該外層フィルムと該内層フィルムと間に設けられ該外層フィルムと該内層フィルムとを接着する接着剤層とからなる３層構造のラミネートフィルムにより構成され、上端に開口部が形成された容器の該開口部を封止する蓋体において、該外層フィルムは該接着剤層を介さずに直接該内層フィルムに対向する外層フィルム非接着部を有し、該外層フィルム非接着部の一部には微小な貫通口や凹部よりなる外層粗面加工部が形成され、該内層フィルムの一部であって該外層フィルム非接着部に対向する部分は内層フィルム非接着部をなし、該内層フィルム非接着部の一部には微小な貫通口や凹部よりなる内層粗面加工部が形成され、該外層粗面加工部は該内層フィルム非接着部の一部であって該内層粗面加工部以外の部分に対向し、且つ、該内層粗面加工部は該外層フィルム非接着部の一部であって該外層粗面加工部以外の部分に対向して両非接触部によりガス抜き部が提供される蓋体を提供している。
【００１４】
【発明の実施の形態】
本発明の実施の形態による袋体１について図１乃至図３に基づき説明する。図１に示されるように、袋体１の外観は、内部にコーヒー豆のようなガスの発生しやすい嗜好食品が封入されているため、略円筒状に膨らんだ形状となっている。袋体１は、一枚の樹脂製ラミネートフィルムからなる袋体本体１１により構成されている。ラミネートフィルムは、図１に示されるようにその左右両端で折返され、折返された部分の端部は袋体１の背面において互いにヒートシールされて図示せぬ合掌部をなす。ラミネートフィルムは、図１における上下端において、略円筒状をした袋体本体１１の半径方向内方へ折返され互いにヒートシールされることにより、略円筒状をした袋体本体１１の上端及び下端を塞いでいる。袋体本体１１を構成するラミネートフィルムは、厚さ９μｍのポリエステル層と厚さ２０μｍの高密度（ＨＤ）ポリエチレン層とが、接着剤層１１Ｃ（図３）により互いに接着され貼合された３層構造になっている。ポリエステル層が外層１１Ａをなし、高密度（ＨＤ）ポリエチレン層が内層１１Ｂをなし、それぞれガスバリア性を有する。
【００１５】
ラミネートフィルムの一部であって袋体本体１１の側面の略中央の位置には、ガス抜き部１１Ｄが設けられている。ガス抜き部１１Ｄは、外層１１Ａと内層１１Ｂとの非接着部により構成されており、図２に示されるように、外形が長方形状をしている。ガス抜き部１１Ｄにおける外層１１Ａ、内層１１Ｂは、それぞれ外層フィルム非接着部１１Ｅ、内層フィルム非接着部１１Ｆをなす。ガス抜き部１１Ｄにおいては、外層１１Ａと内層１１Ｂとが接着されていないため、互いに離接可能である。ガス抜き部１１Ｄをなす外層１１Ａの略中央の位置には、微小な貫通口や凹部よりなる外層粗面加工部１１Ｇが長方形状に形成されている。また、長方形状をしたガス抜き部１１Ｄをなす内層１１Ｂの２つの短辺の近傍にも、微小な貫通口や凹部よりなる内層粗面加工部１１Ｈが形成されている。内層粗面加工部１１Ｈは、ガス抜き部１１Ｄの短辺に平行に帯状に形成されている。内層粗面加工部１１Ｈ、外層粗面加工部１１Ｇは、内層１１Ｂ、外層１１Ａにそれぞれサンドペーパ等の突起物を環装したローラを圧接させることにより形成される。内層粗面加工部１１Ｈと外層粗面加工部１１Ｇは互いに対向しておらず、外層粗面加工部１１Ｇは内層フィルム非接着部１１Ｆの一部であって内層粗面加工部１１Ｈ以外の部分に対向しており、内層粗面加工部１１Ｈは外層フィルム非接着部１１Ｅの一部であって外層粗面加工部１１Ｇ以外の部分に対向している。外層粗面加工部１１Ｇ、内層粗面加工部１１Ｈにおいては、ガスバリア性はなく、通気可能になっている。
【００１６】
袋体本体１１内部に封入されている食品からガスが発生し、袋体本体１１内の気圧が外気圧に対してかなり高くなると袋体本体１１が膨らんだ状態となり、袋体本体１１内のガスが内層粗面加工部１１Ｈから流出する。流出したガスは外層フィルム非接着部１１Ｅと内層フィルム非接着部１１Ｆとの間に入込み、図３に示されるように、外層フィルム非接着部１１Ｅと内層フィルム非接着部１１Ｆとが互いに離間した状態となる。外層フィルム非接着部１１Ｅと内層フィルム非接着部１１Ｆとの間に入込んだガスは、外層粗面加工部１１Ｇから袋体本体１１外部へと流出する。袋体本体１１内部のガスがある程度外部へ排出されると、袋体本体１１内部の気圧が下がり、外気圧と内気圧との差が小さくなる。このとき、内層フィルム非接着部１１Ｆは外層粗面加工部１１Ｇに接触し、外層粗面加工部１１Ｇが内層フィルム接着部によって塞がれた状態となり、外層粗面加工部１１Ｇの通気性が内層フィルム非接着部１１Ｆによって阻害される。同様に、外層フィルム非接着部１１Ｅは内層粗面加工部１１Ｈに接触し、内層粗面加工部１１Ｈが外層フィルム接着部によって塞がれた状態となり、内層粗面加工部１１Ｈの通気性が外層フィルム非接着部１１Ｅによって阻害される。この結果、ガス抜き部１１Ｄにおける通気性がなくなり、袋体本体１１内部のガスは外部へ出ることができなくなる。この後、袋体本体１１内部において再びコーヒー豆からガスが発生して袋体本体１１内部の気圧と大気圧との差が大きくなると、再びガス抜き部１１Ｄは図３に示される状態となり、通気性を有するようになる。なお、袋体本体１１外部の空気や湿気は袋体本体１１内部には流入しない。ガス抜き部１１Ｄが通気性を有しているときには、袋体本体１１内部のガスがガス抜き部１１Ｄを介して袋体本体１１外部へ流出するため、外部の空気等がガス抜き部１１Ｄを介して袋体本体１１内部へ流入することはできず、また、ガス抜き部１１Ｄが通気性を有していないときには、当然に外部の空気等がガス抜き部１１Ｄを介して内部へ流入することはできないからである。
【００１７】
袋体本体１１内部で発生したガスがガス抜き部１１Ｄの内層粗面加工部１１Ｈ及び外層粗面加工部１１Ｇを介して袋体本体１１外部へ排出されるため、袋体本体１１内部にガスが溜まり過ぎて袋体本体１１が破裂してしまうことを防止することができる。また、袋体本体１１を構成する３層構造のラミネートフィルムの一部に外層フィルム非接着部１１Ｅ、内層フィルム非接着部１１Ｆを設け、これらの一部に外層粗面加工部１１Ｇ、内層粗面加工部１１Ｈを形成するようにしてガス抜き部１１Ｄを構成したため、袋体本体１１内部のガスを袋体本体１１外部へ排出するためのへそ等の部材を袋体本体１１と別途製造して袋体本体１１に取付ける必要がなくなり、袋体本体１１の製造工程を簡単にすることができ、袋体本体１１全体としてのコストを低減することができる。また、袋体本体１１外部の空気等が内部へ流入しないため、袋体本体１１内部は衛生的であり、内容物の新鮮さを維持することができる。
【００１８】
次に、本実施の形態による電子レンジ用袋体２について図４に基づき説明する。電子レンジ用袋体２は、ガス抜き部１１Ｄを有している点で前述の本実施の形態による袋体１と共通するが、袋体本体２１の形状が異なる。また、電子レンジ用袋体２に装填される内容物は冷凍食品等である。袋体本体２１を構成するラミネートシートは３層構造であることには変わりないが、電子レンジにおいて用いられた場合に食品衛生上問題のないように、耐熱性のある材料によって構成される。
【００１９】
電子レンジ用袋体２を構成する袋体本体２１は、図４に示されるように、内部に内容物が入れられておらず膨らんでいない状態では略長方形をしている。略長方形状の一の短辺が袋体本体２１の最上部に位置し、この一の短辺全体が袋体本体２１の開口部２１ａとなっている。開口部２１ａの周囲にはジッパー２２が設けられており、ジッパー２２を開閉することによって開口部２１ａが開閉されるように構成されている。開口部が２１ａが閉じた状態では開口部の位置においては通気不能である。袋体本体２１正面であってジッパー２２の設けられている位置の近傍にはガス抜き部が設けられている。
【００２０】
電子レンジ用袋体２にガス抜き部を設けたため、内容物を装填した状態の電子レンジ用袋体２を電子レンジにかけて加熱したときに、袋体２の破裂を防止することができる。
【００２１】
本発明によるラミネートフィルムは上述した実施の形態に限定されず、特許請求の範囲に記載した範囲で種々の変形や改良が可能である。例えば、袋体を構成するラミネートフィルムは、外層が厚さ９μｍのポリエステル層からなり、内層が厚さ２０μｍの高密度（ＨＤ）ポリエチレン層からなり、これらが互いに接着剤層を介して接着された３層構造であったが、外層として延伸ポリプロピレン層、延伸ナイロン層を用いてもよく、また、内層として低密度（ＬＤ）ポリエチレン層、中密度（ＭＤ）ポリエチレン層、高密度（ＨＤ）ポリエチレン層、中低密度（Ｍ−ＬＤ）ポリエチレン層、ポリプロピレン層を用いてもよい。また、厚みは、外層は９〜２５μｍであればよく、内層は２０〜２００μｍであればよい。また、外層と内層とを接着剤層により接着させる方法は、例えば、ドライラミネート等により行えばよい。
【００２２】
また、外層粗面加工部、内層粗面加工部は、外層、内層にサンドペーパ等の突起物を環装したローラを圧接させる方法により形成されたが、この方法に限定されない。この方法に代えて、例えば、コロナ放電処理等によって形成されるようにしてもよい。
【００２３】
また、袋体、電子レンジ用袋体の袋体本体は、本実施の形態による形状に限定されない。例えば、いわゆる合掌貼タイプ、ガゼット貼（４隅）タイプ、三方シールタイプ、スタンディングタイプ、カマス貼タイプ等としてもよい。
【００２４】
袋体に封入される内容物は、コーヒー豆に限定されない。内容物が袋体に封入された後にガスを発生するようなものである場合に、特に本発明の効果を発揮する。また、内容物として例えば芳香剤等を封入してもよい。
【００２５】
また、ガス抜き部、外層粗面加工部、内層粗面加工部は、本実施の形態による形状や数、位置に限定されず、内容物の種類や用途に応じて適宜決定するようにしてもよい。但し、この場合であっても、外層粗面加工部は内層粗面加工部には対向しないように構成する必要がある。
【００２６】
また、本実施の形態による袋体を構成するラミネートフィルムは、袋体以外にも応用が可能である。例えば、コンビニエンスストアで販売されるおでん等の食品を入れるためのお椀形状をした使捨ての容器の蓋体に応用することができる。蓋体がガス抜き部を有するラミネートフィルムにより構成されていれば、蓋体の被せられた容器ごと電子レンジにかけた場合に蓋体や容器が破裂することを防止できる。従って、コンビニエンスストアで食品を購入した客が、帰宅後に、蓋体の被せられた状態の容器をそのまま電子レンジにかけて暖めることができる。
【００２７】
更に、上述した外層１１Ａ又は内層１１Ｂのいずれか一方又は両方を多層のラミネートフィルムで構成してもよい。
【００２８】
【発明の効果】
請求項１記載のラミネートフィルムによれば、外層フィルム、内層フィルムはそれぞれ外層フィルム非接着部、内層フィルム非接着部を有し、外層フィルム非接着部、内層フィルム非接着部の一部にはそれぞれ外層粗面加工部、内層粗面加工部が形成され、外層粗面加工部は内層フィルム非接着部の一部であって内層粗面加工部以外の部分に対向し、且つ、内層粗面加工部は外層フィルム非接着部の一部であって外層粗面加工部以外の部分に対向するようにしたため、ラミネートフィルムの一方の側の気圧が他方の側の気圧に対してかなり高いときには、一方の側から他方の側へ通気可能とすることができ、一方の側の気圧と他方の側の気圧との差があまりないときには、いずれの側へも通気不能とすることができる。
【００２９】
請求項２記載の袋体によれば、袋体はラミネートフィルムにより構成され、ラミネートフィルムの一部がガス抜き部をなしているため、袋体内部で発生したガスをガス抜き部を介して袋体外部へ排出することができる。このため、袋体内部にガスが溜まることによる破袋を防止することができる。また、袋体外部の空気等が内部へ流入することを防止することができるため、袋体内部は衛生的であり、内容物の新鮮さを維持することができる。
【００３０】
また、袋体内部のガスを袋体外部へ排出するためのへそ等の別部材を、袋体と別途製造して袋体に取付ける必要がなくなり、袋体の製造工程を簡単にすることができ、袋体全体としてのコストを低減することができる。
【００３１】
請求項３記載のラミネートフィルムによれば、電子レンジ用袋体はラミネートフィルムにより構成され、ラミネートフィルムの一部がガス抜き部をなしているため、電子レンジ用袋体内に冷凍食品等を入れた状態で電子レンジにかけたときに、電子レンジ用袋体が破裂するのを防止することができる。
【００３２】
請求項４記載のラミネートフィルムによれば、蓋体はラミネートフィルムにより構成され、ラミネートフィルムの一部がガス抜き部をなしているため、蓋体によって封止され内容物が入れられた状態の容器を電子レンジにかけたときに、蓋体や容器が破裂するのを防止することができる。
【図面の簡単な説明】
【図１】本発明の実施の形態による袋体を示す斜視図。
【図２】本発明の実施の形態による袋体のガス抜き部を示す要部正面図。
【図３】図２のＩＩＩ−ＩＩＩ線に沿った断面図。
【図４】本発明の実施の形態による電子レンジ用袋体を示す斜視図。
【符号の説明】
１      袋体
２      電子レンジ用袋体
１１    袋体本体
１１Ａ  外層
１１Ｂ  内層
１１Ｃ  接着剤層
１１Ｅ  外層フィルム非接着部
１１Ｆ  内層フィルム非接着部
１１Ｇ  外層粗面加工部
１１Ｈ  内層粗面加工部
２１    袋体本体
２１ａ  開口部
２２    ジッパー
【図１】
0003987361.tif 000002
【図２】
0003987361.tif 000003
【図３】
0003987361.tif 000004
【図４】
0003987361.tif 000005